(57)【要約】      （修正有）【課題】良カードに打抜ズレの不良カードを混入させない機能を有する打抜形成装置を提供する。【解決手段】分離部５で分離され搬送部６で搬送されるカードＣを撮像する一台の撮像手段７と、搬送部６で搬送されるカードＣの移動を止めるカード止手段１１と、基準カードを撮像して得られた基準カード画像情報を解析等して作成された基準データが記憶されている基準データ記憶部と、検査対象カードを撮像して得られた検査対象カード画像情報を解析して作成された検査対象データが記憶される検査対象データ記憶部と、検査対象データと基準データとを対比して、検査対象カードの良否判定を行う良否判定部と、良否判定が不良との判定のときはカード止手段１１をカード止動作させるカード移動止指示部とからなっている。【選択図】図１
2019073372.tif 000002
【特許請求の範囲】
【請求項１】
固定型と可動型を有しかつ前記固定型と可動型の間にマスターシートを通すシート通し隙間を有し、前記シート通し隙間にカードパターンが印刷された前記マスターシートを位置させた状態で、前記可動型を打抜動作させて前記カードパターンを打抜いてカードを形成し、前記カードを前記マスターシートのカード抜穴に戻すカード打抜部と、
前記カード打抜部から排出されたカードと屑シートを分離する分離部と、
前記分離部で分離された前記カードを搬送する搬送部と、
前記搬送部上の前記カードを撮像する撮像手段と、
前記カード搬送部で搬送されるカードの移動をカード止動作して止めるカード止手段と、
予め基準となる良カードである基準カードを撮像して得られた前記基準カードの第１の基準縁位置の情報である第１の基準縁位置情報を含む基準データが記憶されている基準データ記憶部と、
前記撮像手段で検査対象カードを撮像して得られた前記検査対象カードの第１の検査対象縁位置の情報である第１の検査対象縁位置情報を含む検査対象データと前記基準データとによって、前記検査対象カードの打抜ズレの良否判定を行う良否判定部と、
前記良否判定が不良との判定のときは、前記カード止手段を前記カード止動作させるカード移動止指示部と、とを備えてなるとともに、
前記良否判定部で不良と判定された不良カードが判定済みの良カードに混入することが、前記カード止手段の前記カード止動作によって阻止されることを特徴とするカード等打抜成型装置。
【請求項２】
前記基準カード及び前記検査対象カードは、前記良否判定を行うための特別の印刷、刻印、孔、模様等の判定用表記が一切無い判定用表記無し形態の同一表記であり、
前記基準データが、前記基準カードに表記されている文字、絵柄、模様、刻印等の表記である基準カード表記から特定した又は該基準カード表記によって特定した基準点の情報である基準点情報、前記第１の基準縁位置情報、前記第１の基準縁位置から離れた位置の第２の基準縁位置の情報である第２の基準縁位置情報とからな基準データであり、
前記検査対象データが、前記検査対象カードに表記されている文字、絵柄、模様、刻印等の表記である検査対象カード表記から特定した又は該検査対象カード表記によって特定した検査対象特定点の情報である検査対象特定点情報、前記第１の検査対象縁位置情報、前記第１の検査対象縁位置から離れた位置の第２の検査対象縁位置の情報である第２の検査対象縁位置情報とからなる検査対象データであり、
前記基準点と検査対象特定点とは、同一表記である前記基準カード表記と前記検査対象カード表記の同一位置であることを特徴とする請求項１記載のカード等打抜成型装置。
【請求項３】
前記撮像手段による前記検査対象カード及び前記基準カードの撮像が、カードの一部のみの撮像であり又はカードの一部のみの拡大撮像であることを特徴とする請求項１又は２記載のカード等打抜成型装置。
【請求項４】
前記カードパターンが打抜進行方向に対して横１列が複数並びで設けられたカードパターン複数横並び形態であり、
前記横１列の複数のカードパターンを同時に打抜く横１列複数のパンチを有するパンチ部が前記可動型又は前記固定型に設けられ、
撮像手段が前記搬送部を複数横並び状態で搬送される複数のカードの内の１つのカードのみを撮像する１台の撮像手段であることを特徴とする請求項１、２又は３記載のカード等打抜成型装置。
【請求項５】
前記搬送部のカードを載せ搬送する搬送手段はベルトであり、前記ベルトのベルト幅は前記カードの横幅よりも短い幅であり、前記ベルトの右横には右プレートが設けられ左横には左プレートが設けられ、前記右プレートと前記左プレートの離間距離はカードの横幅よりもわずかに広く且つ搬送されるカードが向きを変えられないプレート離間距離であり、
カード止手段は、前記ベルトと前記右プレート及び前記左プレートとの隙間から又はいずれか一方の隙間から出て前記ベルト上のカードの移動を止める形態である、又は、前記ベルトと前記右プレート及び前記左プレートとの隙間又はいずれか一方の隙間に入って前記ベルト上のカードの移動を止める形態であることを特徴とする請求項１〜３又は４記載のカード等打抜成型装置。
【請求項６】
前記シート通し隙間が、前記マスターシート１枚の厚さ以上で該マスターシート２枚の厚さ以内の隙間距離であることを特徴とする請求項１〜４又は５記載のカード等打抜成型装置。
【発明の詳細な説明】
【技術分野】
【０００１】
本発明は、良カードに打抜ズレの不良カードを混入させない機能を有するカード等打抜成型装置に関する。
【背景技術】
【０００２】
従来のカード等打抜成型装置として、特許文献１の装置が知られていて（符号は特許文献の符号。）、その構成は次のようである。
横列並び３枚×縦列並び９枚の合計２７枚のカードパターンが印刷されたマスターシートＡを、打抜部５１でカードパターンを横一列（３枚）ずつ同時に打抜いてカードＣを３枚同時に打抜形成し、当該３枚のカードＣはその配列を維持されたままローラ群からなるカード搬送部１４で打抜部５１外に搬送され、屑シート分離爪１２によってカードＣと屑シートＧに分離され、カードＣはそのままカード搬送部で配列を維持したまま搬送され、撮像手段１５ａ（横列のカード数と同じ３台の撮像装置からなっている）で各カードＣの上面の全面撮影を行って各カードＣの上面の全面画像データを取得し、全面画像データは判定部２６で予め記憶されている基準データと対比されて抜ずれの良否も含む良品、不良品判定がされ、不良品の判定があった場合には、不良品カード配列番地特定部に通知され不良品のカード配列番地が特定されて、カード置き先指示部に通知され、カード置き先指示部の指示を受けたカード移し手段２０はカード受けトレー１８（スライドしながら１枚のマスターシートＡのカードＣ（ここでは２９枚）を受け載せ並べる）の全てのカードを吸着して持ち上げ、良品カードストック２２に全ての良品のカードを収納し、不良品はその吸着保持を保持して、不良品カードストック２４に不良品カードを収納するというものである。
【先行技術文献】
【特許文献】
【０００３】
【特許文献１】特開2011-068496号公報
【発明の概要】
【発明が解決しようとする課題】
【０００４】
上述した特許文献１の装置は次に述べるような欠点があった。
（１）良カードに不良カードが混ざらないようにする手段は、カード受けトレー１８と、カード受けトレー１８に載ている２７枚のカードＣを一斉に吸着して持ち上げるカード移し手段２０と、このカード移し手段２０のカードＣの配列を維持したままカードを受け重ね収納する良品カードストック２２と、不良品カードストック２４と、カード受けトレー１８が下部に入る長さの部位を有するカード搬送部１４と、を有するものであるので、その分装置が長く広い設置スペースを必要とした大型になるという欠点を有し、且つ、カード搬送部１４部の長距離化、カード受けトレー１８、カード移し手段２０、良品カードストック２２、不良品カードストック２４等の機構が必要であるので高コストになるという欠点を有するものであった。
特許文献１の装置の実際の製品装置にあっては、「搬送部＋良品カードストック２２＋不良品カードストック２４」の長さは２．２ｍである。
（２）横列並びカードパターンが複数枚では同数の撮像装置を設けなければならないという欠点を有し、かつ、その分高コストになるという欠点を有するものであった。
（３）設置されている撮像装置の台数を超える横並びカードパターン数（ここでは４枚以上）には、新たに撮像装置を増やして対応しなければならないとう欠点を有するものであった。
（４）撮像装置でのカード面の撮影は全画面撮影であり、良否判定もカードＣの全面画像データであり、基準データも全面画像データである。よって、処理データ量が大きくなり高速のデータ処理能力の装置が必要になるという欠点を有し、かつ、その分高コストになるという欠点を有するものであった。
【０００５】
本発明は以上のような従来技術の欠点に鑑み、良カードに打抜ズレの不良カードの混入する機構が小型・小スペースで低コストのカード等打抜形成装置を提供することを目的としている。
【課題を解決するための手段】
【０００６】
上記目的を達成するために、本発明は次に述べるような構成としている。
【０００７】
本発明は特許請求の範囲において「カード等打抜成型装置。」としているが、その技術的範囲は「カジノ用品打抜成型装置、トランプカード打抜成型装置およびトレーディングカード打抜成型装置を除くカード等打抜成型装置。」である。
請求項においては、かかる事項を省略しているが、それは記載を単に簡潔にするためのものである。
したがって、本発明の技術駅範囲の「カード等打抜形成装置。」には、カジノ用品打抜成型装置、トランプカード打抜成型装置およびトレーディングカード打抜成型装置は含まれない。
【０００８】
＜請求項１記載の発明＞
固定型と可動型を有しかつ前記固定型と可動型の間にマスターシートを通すシート通し隙間を有し、前記シート通し隙間にカードパターンが印刷された前記マスターシートを位置させた状態で、前記可動型を打抜動作させて前記カードパターンを打抜いてカードを形成し、前記カードを前記マスターシートのカード抜穴に戻すカード打抜部と、
前記カード打抜部から排出されたカードと屑シートを分離する分離部と、
前記分離部で分離された前記カードを搬送する搬送部と、
前記搬送部上の前記カードを撮像する撮像手段と、
前記カード搬送部で搬送されるカードの移動をカード止動作して止めるカード止手段と、
予め基準となる良カードである基準カードを撮像して得られた前記基準カードの第１の基準縁位置の情報である第１の基準縁位置情報を含む基準データが記憶されている基準データ記憶部と、
前記撮像手段で検査対象カードを撮像して得られた前記検査対象カードの第１の検査対象縁位置の情報である第１の検査対象縁位置情報を含む検査対象データと前記基準データとによって、前記検査対象カードの打抜ズレの良否判定を行う良否判定部と、
前記良否判定が不良との判定のときは、前記カード止手段を前記カード止動作させるカード移動止指示部と、とを備えてなるとともに、
前記良否判定部で不良と判定された不良カードが判定済みの良カードに混合することが、前記カード止手段の前記カード止動作によって阻止されることを特徴とするカード等打抜成型装置である。
【０００９】
＜請求項２記載の発明＞
前記基準カード及び前記検査対象カードは、前記良否判定を行うための特別の印刷、刻印、孔、模様等の判定用表記が一切無い判定用表記無し形態の同一表記であり、
前記基準データが、前記基準カードに表記されている文字、絵柄、模様、刻印等の表記である基準カード表記から特定した又は該基準カード表記によって特定した基準点の情報である基準点情報、前記第１の基準縁位置情報、前記第１の基準縁位置から離れた位置の第２の基準縁位置の情報である第２の基準縁位置情報とからな基準データであり、
前記検査対象データが、前記検査対象カードに表記されている文字、絵柄、模様、刻印等の表記である検査対象カード表記から特定した又は該検査対象カード表記によって特定した検査対象特定点の情報である検査対象特定点情報、前記第１の検査対象縁位置情報、前記第１の検査対象縁位置から離れた位置の第２の検査対象縁位置の情報である第２の検査対象縁位置情報とからなる検査対象データであり、
前記基準点と検査対象特定点とは、同一表記である前記基準カード表記と前記検査対象カード表記の同一位置であることを特徴とする請求項１記載のカード等打抜成型装置である。
【００１０】
「一部分の文字、絵柄、模様等の表記形態」には、文字と文字の間の空間等も含まれるものである。
「一部分の表記形態の内に指定し決定した部分」には、例えば文字と文字の間の適当な部位、文字と絵柄の間の適当な部位等も含まれるものである。
【００１１】
＜請求項３記載の発明＞
前記撮像手段による前記検査対象カード及び前記基準カードの撮像が、カードの一部のみの撮像であり又はカードの一部のみの拡大撮像であることを特徴とする請求項１又は２記載のカード等打抜成型装置である。
【００１２】
＜請求項４記載の発明＞
前記カードパターンが打抜進行方向に対して横１列が複数並びで設けられたカードパターン複数横並び形態であり、
前記横１列の複数のカードパターンを同時に打抜く横１列複数のパンチを有するパンチ部が前記可動型又は前記固定型に設けられ、
撮像手段が前記搬送部を複数横並び状態で搬送される複数のカードの内の１つのカードのみを撮像する１台の撮像手段であることを特徴とする請求項１、２又は３記載のカード等打抜成型装置である。
【００１３】
＜請求項５記載の発明＞
前記搬送部のカードを載せ搬送する搬送手段はベルトであり、前記ベルトのベルト幅は前記カードの横幅よりも短い幅であり、前記ベルトの右横には右プレートが設けられ左横には左プレートが設けられ、前記右プレートと前記左プレートの離間距離はカードの横幅よりもわずかに広く且つ搬送されるカードが向きを変えられないプレート離間距離であり、
カード止手段は、前記ベルトと前記右プレート及び前記左プレートとの隙間から又はいずれか一方の隙間から出て前記ベルト上のカードの移動を止める形態である、又は、前記ベルトと前記右プレート及び前記左プレートとの隙間又はいずれか一方の隙間に入って前記ベルト上のカードの移動を止める形態であることを特徴とする請求項１〜３又は４記載のカード等打抜成型装置である。
【００１４】
＜請求項６記載の発明＞
前記シート通し隙間が、前記マスターシート１枚の厚さ以上で該マスターシート２枚の厚さ以内の隙間距離であることを特徴とする請求項１〜４又は５記載のカード等打抜成型装置である。
【発明の効果】
【００１５】
以上の説明から明らかなように、本発明にあっては次に列挙する効果が得られる。
＜請求項１記載の発明の効果＞
（１）カード搬送部で搬送されるカードの移動を止めるカード止手段を設け、良否判定がカード打抜ズレが不良との判定のときは、前記カード止手段をカード止動作させて不良カードを止め、判定済みの良カードに不良カードが混入出来ないようにしたので、カード止手段を撮像手段の下流の近い位置に配置することが可能となり、搬送部から例えば良カード収納部までの距離を短いものにできる。
具体例では、本実施例１の製品においては、「搬送部＋良カード収納部」の長さは１ｍであり、特許文献１の製品の２．２ｍの１／２以下を実現しているものであり、かつ、その構成は部品点数が少なく、小型となるものである。
よって、本発明は判定済み良カードに不良カードが混入させない機構を小型、小スペース、低コストで実現するものである。
（２）分離部でシートとは分離されて搬送されるカードを撮像手段で撮像するものであるので、その撮像画像はカードの縁の明瞭な画像情報を得るものである。
よってカードの明確な縁位置情報を良否判定に利用して、高精度の判定を行うことを可能としているものである。
【００１６】
＜請求項２記載の発明の効果＞
請求項１記載の発明と同様な効果を奏するとともに、次に述べるような効果を奏する。
（１）基準カードに表記されている文字、絵柄、模様、刻印等の表記である基準カード表記から特定した又は該基準カード表記によって特定した基準点の情報である基準点情報、第１の基準縁位置情報、第１の基準縁位置から離れた位置の第２の基準縁位置の情報である第２の基準縁位置情報とからな基準データ、
検査対象カードに表記されている文字、絵柄、模様、刻印等の表記である検査対象カード表記から特定した又は該検査対象カード表記によって特定した検査対象特定点の情報である検査対象特定点情報、第１の検査対象縁位置情報、第１の検査対象縁位置から離れた位置の第２の検査対象縁位置の情報である第２の検査対象縁位置情報とからなる検査対象データ、
前記基準データと前記検査対象データとによって（例えば、対比によって）、判定用表記無し形態の基準カード及び検査対象カードの撮像情報よる高精度の良否判定を可能としているものである。
前記基準データと前記検査対象データとによる具体的な判定方法は複数方法があり実施例１等でその一例を述べている。
（２）各縁位置情報、基準点情報および検査対象特定点情報はカードの一部の撮像情報（狭い範囲の画像情報）から十分に取得可能である。
よって、画像データ量及び処理データ量が小さくできので、高コストのシステムを使用せず、低コストな処理システムで高速、高処理能力が得られものである。すなわち、撮像手段、画像処理、演算処理等のシステムを低コストなものにできるものである。
【００１７】
＜請求項３記載の発明の効果＞
請求項１又は２記載の発明と同様な効果を奏するとともに、検査対象カード及び基準カードの撮像が、カードの一部のみの撮像であり又はカードの一部のみの拡大撮像であるので、より処理データ量を小さいものにできるという効果を奏する。
【００１８】
＜請求項４記載の発明の効果＞
請求項１、２又は３記載の発明と同様な効果を奏するとともに、次に述べるような効果を奏する。
横１列の複数のカードパターンを打抜く横１列の複数のパンチで同時に打抜くのであるから、シートが傾いて打抜不良が生じた場合、同時に打抜かれる横並びの複数枚カードは全てが打抜不良となる。
よって、１つのカードの良否判定のみでよいことになり、それは1台の撮像手段を設ければよいことになる。
よって、この点でも処理システムの低コスト化を実現するとともに、一台の撮像手段の画像データの処理のみでよくなるので、処理データがさらに小さくなるので、安価な処理システムでの高速処理を可能とするものである。
【００１９】
＜請求項５記載の発明の効果＞
請求項１〜３又は４記載の発明と同様な効果を奏するとともに、次に述べるような効果を奏する。
搬送部のカードを載せ搬送する搬送手段はベルトであり、そのベルト幅はカードの横幅よりも短い幅であるので、該ベルトによって搬送されるカードの両端ないし一端は該ベルトから突き出した状態（以下「カードのはみ出し部位」という。９となる。
カード止手段は、ベルトと右プレート及び左プレートとの隙間又はいずれか一方の隙間から出てベルト上のカードの移動を止める形態である、又は、ベルトと右プレート及び左プレートとの隙間又はいずれか一方の隙間に入ってベルト上のカードの移動を止める形態であるので、動作時は「カードのはみ出し部位」に確実に当たりカードの移動を止めることができる。
【００２０】
＜請求項６記載の発明の効果＞
請求項１〜４又は５記載の発明と同様な効果を奏するとともに、カード抜穴にカードを確実に戻し搬送ないし移動させることができる。
【図面の簡単な説明】
【００２１】
【図１】本発明の実施例１を示す装置の構成を示す側面図。
【図２】実施例１の回動爪を止め動作させた状態を示す側面図。
【図３】実施例１のカード打抜部から搬送部を示す平面図。
【図４】実施例１の基準カードと撮像範囲を示す平面図。
【図５】実施例１の基準カードデータを示す平面図。
【図６】実施例１の検査対象カードデータを示す平面図及び対比する基準カードデータを示す図。
【図７】実施例１の制御図。
【図８】本発明の実施例２の部分側面図。
【図９】本発明の実施例３の実施例１の基準カードの実画像（下図）と実画像をイラストで表現して撮像範囲を示した平面図。
【図１０】実施例３の基準カードデータを示す平面図。
【図１１】図１０の部分拡大図。
【図１２】実施例１の検査対象カードデータを示す平面図及び対比する基準カードデータを示す図。
【発明を実施するための形態】
【００２２】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２３】
図１〜図７に示す本発明の実施例において、カード等打抜成型装置１は次に述べるような構成となっている。
１列横並び３枚のカードを同時に打抜く固定型２と可動型３を有し、固定型２と可動型３の間にマスターシートＭＳを通すシート通し隙間４を有し、シート通し隙間４に横並び３枚×縦並び９枚の合計２７枚（横９列、縦３列）のカードパターンＣｐが印刷されたマスターシートＭＳを位置させた状態で、可動型３を打抜動作させてカードパターンＣｐを横１列３枚ずつ打抜いてカードＣを形成し、カードＣをマスターシートＭＳのカード抜穴に戻すカード打抜部１０と、
カード打抜部１０から排出されたカードＣと屑シートｇｓを分離する４本の爪からなる分離部５と、
分離部５で分離されたカードＣを搬送する搬送部６と、
搬送部６を搬送動作させるモータからなる搬送部駆動手段１４と、
カード打抜部１０の打抜動作を駆動するモータからなる打抜部駆動手段１５と、
分離部５で分離され搬送部６で搬送されるカードＣを撮像する一台の撮像手段７（ＣＣＤカメラ、ラインセンサ等）と、
搬送部６で搬送されるカードＣの移動を止めるカード止手段１１と、
予め基準となる良カードである基準カードＡＣを撮像して得られた基準カード画像情報２０ｂを基準データ作成部２６で解析等して作成された基準データ２０ａが記憶されている基準データ記憶部２０と、
撮像手段７で検査される検査対象カードＢＣを撮像して得られた検査対象カード画像情報２１ｂを検査対象データ作成部２７で解析等して作成された検査対象データ２１ａが記憶される検査対象データ記憶部２１と、
検査対象データ２１ａと基準データ２０ａとを対比して、検査対象カードＢＣの良否判定を行う良否判定部２２と、
良否判定が不良との判定のときは、回動止爪駆動手段５３を動作させて、カード止手段１１をカード止動作させるカード移動止指示部１７と（カードＣの移動は止められる。）、
良否判定が不良との判定のときは、打抜部駆動手段１５の駆動動作を停止させて、カード打抜部１０の打抜動作を停止させる打抜動作停止指示部１８と、
良否判定が不良との判定のときは、搬送部駆動手段１４の駆動動作を停止させて、搬送部６の搬送動作を停止させる搬送停止指示部１９と、
搬送部６で搬送される良カードのみを最下流側で下降スライドしながら積み重ね形態で集積収納する良カード収納部１３と、
屑シート収納部２４と、
装置の各部を制御する制御部２５（基準データ記憶部２０、検査対象データ記憶部２１、良否判定部２２、カード移動止指示部１７、打抜動作停止指示部１８、搬送停止指示部１９等を含む）と、を備えた構成となっている。（図７参照）
【００２４】
「カード等」とは、マスターシートＭＳから打抜かれた多様な形状、形態のものを言う。例えば、四角形、円形、動物形、複雑な形のものなどその形態は多様である。また、カードＣ等の使用目的も限定されるものではなく、クレジットカード、ゲーム用カード、メンコなどの遊戯用カード、アイスクリーム容器等の嵌め込み蓋、カップ麺容器の接着蓋などが含まれる。
【００２５】
検査対象カードＢＣ及び基準カードＡＣは、良否判定を行うための特別の印刷、刻印、孔、模様等の判定用表記が一切無い判定用表記無し形態の同一表記である。
カードパターンＣｐは予めその良否判定が行われて良判定とされたマスターシートＭＳを使用するのがよい。
検査をしていないマスターシートＭＳでは印刷ズレが入っている場合があって、印刷ズレが検知された場合には、打抜ズレとして不良判定されその印刷ズレ不良カードは搬送が止められ、良判定済み良カードに混入されない。
【００２６】
基準データ２０ａは、基準カードＡＣに表記されている文字、絵柄、模様、刻印等の表記である基準カード表記ＡＧから特定した又は該基準カード表記ＡＧ（ここではカードの一部を撮像した撮像範囲Ｚの表記）によって特定した基準点Ａｐの情報である基準点情報、基準カードＡＣの第１の基準縁位置ＡＦ１の情報である第１の基準縁位置情報、第１の基準縁位置ＡＦ１から離れた位置の第２の基準縁位置ＡＦ２の情報である第２の基準縁位置情報とからなっている。この基準データ２０ａの作成は基準データ作成部２６で作成される。
基準点Ａｐの特定はオペレータがデイスプレイに表示された基準カード表記ＡＧの好適な位置を任意に指定して特定し決定して基準データ記憶部２０に登録（記憶）している。基準点Ａｐはプログラムが自動的に決め特定するようにするのもよい。
【００２７】
検査対象データ２１ａが、検査対象カードＢＣに表記されている文字、絵柄、模様、刻印等の表記である検査対象カード表記ＢＧから特定した又は該検査対象カード表記ＢＧ（ここではカードの一部を撮像した撮像範囲Ｚの表記）によって特定した検査対象特定点Ｂｐの情報である検査対象特定点情報、検査対象カードＢＣの第１の検査対象縁位置ＢＦ１の情報である第１の検査対象縁位置情報、第１の検査対象縁位置ＢＦ１から離れた位置の第２の検査対象縁位置ＢＦ２の情報である第２の検査対象縁位置情報とからなっている。
【００２８】
検査対象特定点Ｂｐ（ここでは文字ＦのＴ交差点）の特定は、基準カード表記ＡＧと検査対象カード表記ＢＧとを対比して行う。
基準カード表記ＡＧの表記形態と検査対象カード表記ＢＧの表記形態の同一部位を自動的に特定し（ここでは文字ＡＢＣＤＥＦＧ）、文字ＦのＴ交差点を自動的に特定しそこを検査対象特定点Ｂｐと特定し記憶する。
基準カード表記ＡＧの表記形態と検査対象カード表記ＢＧの表記形態から見ると、基準点Ａｐと検査対象特定点Ｂｐとは同一位置となる。
基準カード画像情報２０ｂと検査対象カード画像情報２１ｂの縁を基準にした縁重ねでは、打抜ズレの無い検査対象カードＢＣの場合では基準点Ａｐと検査対象特定点Ｂｐとは重なる同一位置となり、打抜ズレの有る検査対象カードＢＣの場合では基準点Ａｐと検査対象特定点Ｂｐとは重ならないズレた位置となる。
よって、基準点Ａｐから検査対象特定点Ｂｐのズレ距離が許容範囲（例えば、±０．２ｍｍ以内）内であれば良判定、超えていれば不良判定になる。
【００２９】
または、基準点Ａｐと第１の基準縁位置ＡＦ１との基準距離ＫＸ（縁線とＫＸ線は直角交差）、基準点Ａｐと第２の基準縁位置ＡＦ２との基準距離ＫＹ（縁線とＫＹ線は直角交差）が算出され、検査対象特定点Ｂｐと第１の検査対象縁位置ＢＦ１との検査対象距離ＴＸ（縁線とＴＸ線は直角交差）、検査対象特定点Ｂｐと第２の検査対象縁位置ＢＦ２との検査対象距離ＴＹ（縁線とＴＹ線は直角交差）が算出され、基準距離ＫＸと検査対象距離ＴＸが対比（対比０１）され、基準距離ＫＹと検査対象距離ＴＹが対比（対比０２）され、対比０１および対比０２が許容範囲内（例えば、基準距離ＫＸ±０．２ｍｍ以内、基準距離ＫＹ±０．２ｍｍ以内）の距離であれば良判定、いずれか一方が超えていれば不良判定になる。
または、基準点Ａｐと検査対象特定点Ｂｐを同一位置として、第１の基準縁位置ＡＦ１からの第１の検査対象縁位置ＢＦ１のズレ距離が許容範囲内（例えば、±０．２ｍｍ以内）であり、かつ、第２の基準縁位置ＡＦ２からの第２の検査対象縁位置ＢＦ２のズレ距離が許容範囲内（例えば、±０．２ｍｍ以内）であれば良判定、いずれか一方が許容範囲を超えていれば不良判定となる。
判定方法は多様な方法があり適当な方法によればよい。
【００３０】
判定方法には以下のような方法が考えられる。
（１）基準カードＡＣを撮像して得た画像の表記箇所の特徴点（例えば、凸部位の頂点や角点、谷底の頂点や角点、交点、端点等々）を複数箇所特定して複数の基準カード特徴点基準点Ａｐを基準カードデータ２０ａに含めたデータとする。
検査対象カードＢＣの撮像画像に基準カードデータ２０ａの複数の基準カード特徴点を重ね、数の基準カード特徴点を動かして検査対象カードＢＣの撮像画像の対象となる部位に重なった位置を特定し、その基準点Ａｐの位置を検査対象特定点Ｂｐとする。
本来の基準点Ａｐと特定した検査対象特定点Ｂｐのズレ距離、又は、対比０１および対比０２を行い良否判定を行う。
（２）検査対象カードＢＣの撮像画像に基準カードデータ２０ａの撮影画像を重ね、基準カードデータ２０ａの撮影画像動かしてその基準点Ａｐの位置を検査対象特定点Ｂｐとする方法もある。
（３）実施例３で後述しているような、表記の一部に三角形Ｋ３Ｋを描いて、その三角形Ｋ３Ｋの重心を基準点Ａｐ、検査対象特定点Ｂｐとする方法もよい。実施例の試作機においてはこの判定方法を採用している。
【００３１】
上記判定方法によって、カードには判定に使用するための特別な表記無しで良否判定を行うことを実現しているものである。
よって、どのようなカード等においても、その元々の印刷等の表記を利用して良否判定を可能としているものである。
【００３２】
撮像手段７による検査対象カードＢＣ及び基準カードＡＣの撮像が、カードの一部のみの撮像であり又はカードの一部のみの拡大撮像としている。
こうすることで、データ量を小さくして高速処理化と処理システムの低コスト化を可能とする。
【００３３】
カードパターンＣｐが打抜進行方向に対して横１列が３枚横並び形態であり、横１列の３枚のカードパターンＣｐを同時に打抜く横１列３個のパンチ８ａ〜８ｃを有するパンチ部８が可動型３又は固定型２に設けられ（ここでは可動型３内に設けられている）。
撮像手段７が搬送部６を横３枚の内の１つのカードのみ（縦一列のみ）を撮像する１台の撮像手段７のみとしている。
パンチ部のパンチの配列は、横複数列とした形態も本発明の技術的範疇に含むものである。例えば、横１列３個のパンチが横２列では計６個のパンチが配列されいるということであり、同時に６枚のカードが打抜かれるということになる。
【００３４】
搬送部６のカードＣを載せ搬送する搬送手段はベルト５０であり、ベルト５０のベルト幅はカードＣの横幅よりも短い幅であり、ベルト５０の右横には右プレートが設けられ左横には左プレートが設けられた形態とするプレート５１が４枚設けられ、右プレートと左プレートの離間距離はカードＣの横幅よりもわずかに広く且つ搬送されるカードＣが向きを変えられないプレート離間距離であり、
カード止手段１１は、上方に回動してベルト５０とプレート５１の間の隙間から上部側に突き出てカードＣの移動を止める、１ベルトに対して２本ずつベルト５０の下部側に設けられた回動止爪５２と、全ての回動止爪５２（６本）を一斉に回動動作させるソレノイドからなる回動止爪駆動手段５３とからなっている。
撮像手段７での撮影から回動止爪５２が回動動作して不良カードを止めるまでの時間は０．１秒程度と高速である。
【００３５】
回動止爪５２をベルト５０の上部側に設けて、回動止爪５２がベルト５０とプレート５１との隙間に上方から入ってベルト上のカードＣの移動を止める形態とするのもよい。
【００３６】
シート通し隙間４は、マスターシートＭＳ１枚の厚さ以上で該マスターシートＭＳ２枚の厚さ以内の隙間距離である。
【実施例２】
【００３７】
図８に示す本発明の第２の実施例において前記実施例１と主に異なる点は、カード止手段１１を設ける位置をコンベア５０の水平部分とした点にある。
【実施例３】
【００３８】
図９〜図１２に示す本発明の実施例３において、基準点Ａｐの特定および検査対象特定点Ｂｐの特定方法は次のようである。
図９において、下図は実際に測定した猫の写真が表記された基準カードＡＣである。上図は猫の写真では表現線が写真に埋もれてしまい表現し難いので、猫の写真をイラストで表現した図である。
説明は上図（イラスト）側で説明する。（実施例の実際の基準点Ａｐ，検査対象特定点Ｂｐの特定は猫の写真上で行っている。）
【００３９】
基準カードＡＣの基準点Ａｐの特定は、オペレータがデイスプレイに表示された基準カード画像情報２０ｂの基準カード表記ＡＧの好適な位置と判断した猫の耳の頂点先端を第１指定点に指定し、該耳の両側の側縁端の適当な箇所を第２指定点、第３指定点に指定する。
第１指定点、第２指定点、第３指定点が指定され、例えば実行ボタンをクリックすると、あるいは３点を指定すると、プログラムは自動的に第１指定点、第２指定点、第３指定点を結んで三角形Ｋ３Ｋを形成し、その三角形Ｋ３Ｋの重心を求め、その重心を基準点Ａｐとして特定し、第１の基準距離ＫＸと第２の基準距離記憶ＫＹ算出し、これらからなる基準データ２０ａを基準データ記憶部２０に記憶する。
【００４０】
検査対象カードＢＣの検査対象特定点Ｂｐは、基準データ２０ａの猫の耳の頂点先端を第１指定点情報から、検査対象カード画像情報２１ｂの検査対象表記ＢＧの猫の耳の頂点先端を自動的に特定する。
検査対象表記ＢＧの猫の耳の頂点先端が特定さると、基準データ２０ａの三角形Ｋ３Ｋの頂点が猫の耳の頂点先端に位置された状態で、三角形Ｋ３Ｋの他の２点が猫の耳の側縁端に位置するように三角形Ｋ３Ｋの頂点を支点にして動かされる等して自動的に一致される。
三角形Ｋ３Ｋの重心が検査対象特定点Ｂｐとして自動的に特定される。
検査対象特定点Ｂｐから第１の特定縁位置ＢＦ１までの第１の特定距離ＴＸが自動的に算出され、検査対象特定点Ｂｐから第２の特定縁位置ＢＦ２までの第２の特定距離ＴＹが自動的に算出される。
【００４１】
良否判定部２２によって、基準距離ＫＸと検査対象距離ＴＸが対比（対比０１）され、基準距離ＫＹと検査対象距離ＴＹが対比（対比０２）され、対比０１および対比０２が許容範囲内（例えば、基準距離ＫＸ±０．２ｍｍ以内、基準距離ＫＹ±０．２ｍｍ以内）の距離であれば良判定、いずれか一方が超えていれば不良判定になる。
本実施例の試作装置に在っては、撮像手段７での撮影から回動止爪５２が回動動作して不良カードを止めるまでの時間は０．１秒以下の高速を実現している。
【００４２】
基準カードＡＣも検査対象カードＢＣも猫の写真を自動トレースして、そのトレース線から基準点ＡＰ、検査対象特定点Ｂｐを求め特定する方法もよい。
縁を一致させて、基準点Ａｐと検査対象特定点Ｂｐのズレから良否判定をするのもよい。
【産業上の利用可能性】
【００４３】
本発明は、カード等打抜成型装置を製造する産業、カードを製造する産業で利用される。
【符号の説明】
【００４４】
ＭＳ：マスターシート、
Ｃｐ：カードパターン、
Ｃ：カード、
ｇｓ：屑シート、
ＡＣ：基準カード、
ＡＧ：基準カード表記、
Ａｐ：基準点、
Ｋ３Ｋ：三角形、
ＡＦ１：第１の基準縁位置、
ＡＦ２：第２の基準縁位置、
ＫＸ：第１の基準距離、
ＫＹ：第２の基準距離、
ＢＣ：検査対象カード、
ＢＧ：検査対象カード表記、
Ｂｐ：検査対象特定点、
ＢＦ１：第１の特定縁位置、
ＢＦ２：第２の特定縁位置、
ＴＸ：第１の特定距離、
ＴＹ：第２の特定距離、
Ｚ：撮像範囲、
１：カード等打抜成型装置、
２：固定型、
３：可動型、
４：シート通し隙間、
５：分離部、
６：搬送部、
７：撮像手段、
８：パンチ部、
８ａ：パンチ、
８ｂ：パンチ、
８ｃ：パンチ、
１０：カード打抜部、
１１：カード止手段、
１３：良カード収納部、
１４：搬送部駆動手段、
１５：打抜部駆動手段、
１７：カード移動止指示部、
１８：打抜動作停止指示部、
１９：搬送停止指示部、
２０：基準データ記憶部、
２０ａ：基準データ、
２０ｂ：基準カード画像情報、
２１：検査対象データ記憶部、
２１ａ：検査対象データ、
２１ｂ：検査対象カード画像情報、
２２：良否判定部、
２４：屑シート収納部、
２５：制御部、
２６：基準データ作成部、
２７：検査対象データ作成部、
５０：ベルト、
５１：プレート、
５２：回動止爪、
５３：回動止爪駆動手段。
【図１】
2019073372.tif 000003
【図２】
2019073372.tif 000004
【図３】
2019073372.tif 000005
【図４】
2019073372.tif 000006
【図５】
2019073372.tif 000007
【図６】
2019073372.tif 000008
【図７】
2019073372.tif 000009
【図８】
2019073372.tif 000010
【図９】
2019073372.tif 000011
【図１０】
2019073372.tif 000012
【図１１】
2019073372.tif 000013
【図１２】
2019073372.tif 000014